(57)【特許請求の範囲】
【請求項１】
投入した紙幣を判別する入金判別部と、判別された紙幣を受入口より受け入れて積載収納し、積載収納された紙幣を払出口より払い出す紙幣収納庫と、払い出された紙幣を判別する出金判別部と、払い出された紙幣を前記紙幣収納庫の前記受入口へ導く循環経路とを備えた紙幣処理機にあって、前記紙幣収納庫の在り高を精査する紙幣処理機の精査方法において、
精査用に作成された模擬紙幣の投入を前記入金判別部により判別し、
前記模擬紙幣の前記紙幣収納庫への収納後に入金動作を停止し、
金種ごとの精査カウンタをクリアし、
前記紙幣収納庫に積載収納された紙幣を順次払い出し、前記循環経路を経由して前記紙幣収納庫に戻すという紙幣の循環動作を開始し、
前記紙幣収納庫より払い出された紙幣を前記出金判別部にて判別して対応する金種の前記精査カウンタを加算し、
前記出金判別部による前記模擬紙幣の払い出しの判別に応答して前記循環動作を停止し、
前記模擬紙幣を前記紙幣処理機の外部へ放出する、
ことを特徴とする紙幣処理機の精査方法。
【請求項２】
前記出金判別部により前記模擬紙幣が判別された後、前記精査カウンタの計数結果を、前記紙幣処理機内の対応する金種の在り高メモリに転記するようにしたことを特徴とする請求項１記載の紙幣処理機の精査方法。
【請求項３】
前記出金判別部により前記模擬紙幣が判別された後、前記精査カウンタの計数結果を、前記紙幣処理機内の精査履歴メモリに転記するようにしたことを特徴とする請求項１記載の紙幣処理機の精査方法。
【発明の詳細な説明】
【０００１】
【発明の属する技術分野】
本発明は紙幣処理機の精査方法に関し、特にスーパーマーケットやコンビニエンスストアなどの会計場にて、受け取った紙幣を積載収納し、さらには、その収納した紙幣を釣銭として再利用するような紙幣処理機（釣銭払出し機）に対してレジ担当者の交替時などに紙幣処理機内の在り高をチェックするときの紙幣処理機の精査方法に関する。
【０００２】
【従来の技術】
近年、スーパーマーケットやコンビニエンスストアなどにＰＯＳ（販売時点情報管理）システム等、上位装置に接続され、受け取った紙幣を釣銭として再利用することができる紙幣処理機（釣銭払出し機）が硬貨処理機とともに導入されている。
【０００３】
ここで、紙幣処理機とは、概略的には、投入された紙幣を、機械的に取り込み、紙幣収納庫に積載収納し、その入金情報を外部の上位装置に送信し、また外部の上位装置からの釣銭払い出し要求に応じて積載収納されている紙幣の入金情報を送信し、該当する金額の釣銭を払出す機能を持つものである。
【０００４】
このような、紙幣処理機や硬貨処理機の導入の目的は、金銭の払い出しと収納作業を自動化し、レジ担当者の現金取り扱いの負担を軽減しつつ、精算業務の効率を上げることおよび違算の撲滅を主目的としている。
【０００５】
従来の紙幣処理機においては、現金管理に主眼を置くと、釣銭用の準備金の装填、すなわち、紙幣処理機への釣銭準備金のセットは、必ず入金口から行う必要がある。これは、入金口から紙幣を投入することでその金種および枚数が判別され、紙幣処理機内に収納されている紙幣の在り高が正確に把握され、現金管理をすることができるからである。
【０００６】
しかし、このような紙幣処理機では、一度に入金口に入れられる枚数には、物理的な制約があり、小分けにして作業する必要があるため、準備金の装填に時間がかかる。このため、たとえ釣銭用の準備金の補充を必ず入金口からと指導しても、紙幣処理機へ準備金をセットする時間を省くために、紙幣処理機の内部を開放して、直接紙幣収納庫へ準備金をセットしてしまうこともある。また、両替のために、紙幣収納庫に収納されている紙幣を直接操作することも考えられる。
【０００７】
【発明が解決しようとする課題】
このように、紙幣処理機の紙幣収納庫へ直接準備金をセットした場合などでは、紙幣処理機が認識している金種別の論理上の在り高と実際に紙幣処理機に収納されている現金との間に違算が発生する。しかしながら、同一のレジ係に何人かのレジ担当者が交替であたるような運用をしている場合には、その違算が何時・誰の時点で発生したかが問題となり、人間関係が緊張するような場面もある。これを明確にするためには、レジ担当者の交替ごとに論理上の在り高と現金とを再確認する必要がある。
【０００８】
本発明はこのような点に鑑みてなされたものであり、レジ係の金銭取り扱い面の運用を簡略化し、かつ各担当者における責任を明確にしておくために、担当者の交替時などに紙幣収納庫に収納された紙幣を精査する紙幣処理機の精査方法を提供することを目的とする。
【０００９】
【課題を解決するための手段】
本発明では上記問題を解決するために、投入した紙幣を判別する入金判別部と、判別された紙幣を受入口より受け入れて積載収納し、積載収納された紙幣を払出口より払い出す紙幣収納庫と、払い出された紙幣を判別する出金判別部と、払い出された紙幣を前記紙幣収納庫の前記受入口へ導く循環経路とを備えた紙幣処理機にあって、前記紙幣収納庫の在り高を精査する紙幣処理機の精査方法において、精査用に作成された模擬紙幣の投入を前記入金判別部により判別し、前記模擬紙幣の前記紙幣収納庫への収納後に入金動作を停止し、金種ごとの精査カウンタをクリアし、前記紙幣収納庫に積載収納された紙幣を順次払い出し、前記循環経路を経由して前記紙幣収納庫に戻すという紙幣の循環動作を開始し、前記紙幣収納庫より払い出された紙幣を前記出金判別部にて判別して対応する金種の前記精査カウンタを加算し、前記出金判別部による前記模擬紙幣の払い出しの判別に応答して前記循環動作を停止し、前記模擬紙幣を前記紙幣処理機の外部へ放出する、ことを特徴とする紙幣処理機の精査方法が提供される。
【００１０】
このような紙幣処理機の精査方法によれば、入金判別部が通常の取り扱い金種以外に判別可能な模擬紙幣を判別して紙幣収納庫に積載収納されている紙幣の上に集積されると、その模擬紙幣が入金されたことを契機にして、紙幣収納庫に収納されている紙幣の精査が開始される。精査は、まず、入金動作を停止し、各金種の精査カウンタをゼロにクリアする。続いて、循環経路を使い、紙幣収納庫内の紙幣を循環させる。このとき、紙幣収納庫より払い出された紙幣の判別が行われ、その都度、対応する金種の精査カウンタを加算する。このようにして、紙幣収納庫内に収納されていた紙幣がすべて払い出されて、次に、模擬紙幣が判別されると、この時点で、各精査カウンタには、紙幣収納庫に実際に収納されている紙幣の枚数が金種別に計数されていることになり、在り高が確認される。その後、その模擬紙幣は外部へ放出される。
【００１１】
【発明の実施の形態】
以下、本発明の実施の形態を図面を参照して詳細に説明する。
図１は紙幣処理機の外観を示す図、図２は紙幣処理機の内部構成を示す側断面図である。これらの図において、紙幣処理機１は、外観的には、紙幣を入金するための投入口２と、紙幣処理機１から紙幣が釣銭として払い出される出金口３と、釣銭としては利用されない高額紙幣が収納される紙幣回収庫４が設けられている。
【００１２】
紙幣の投入口２の近傍には、入金判別センサ５が設けられ、その先に紙幣収納庫６の紙幣受入口がある。紙幣収納庫６の下部には積載収納された紙幣を下から一枚ずつ分離して繰り出す繰り出し部８が設けられている。紙幣が繰り出される紙幣収納庫６の払出口の下流には出金判別センサ９が設けられている。紙幣収納庫６の払出口は出金口３および垂直方向に配置された循環通路１０に接続されている。循環通路１０の下端部には紙幣の搬送路を切り換える切換ゲート１１が設けられ、上端部は紙幣受入口７に接続されている。また、循環通路１０の途中には紙幣回収庫４に搬送路を切り換えるための切換ゲート１２を有している。ここで、出金口３、紙幣回収庫４、紙幣収納庫６、循環通路１０は一体になっていて内部ユニットを構成し、内部ユニットは引出し可能な状態で筐体１３に収められている。なお、紙幣収納庫６には模擬紙幣１４が入っており、図２の紙幣処理機１は精査中であることを示している。
【００１３】
ここで、通常の取引時の紙幣処理機１の動作について説明する。まず、投入口２より紙幣が投入されると、図示しない紙幣検知センサによって紙幣の投入が検出され、図示しない投入搬送モータが駆動される。紙幣は、入金判別センサ５へ導かれて行き、ここで金種の判別および真偽の判定が行われる。入金判別センサ５が真券（本物）であると判別できなかった紙幣については、投入口２に戻され、真券と判別された紙幣は、紙幣収納庫６へと導かれて行き、上部に設けられた紙幣受入口７を通って、紙幣収納庫６に積載収納される。収納された紙幣は、図示しない上位制御装置から釣銭の払い出し司令があったとき、または、図示しない操作・表示部で払い出しの操作をしたときには、繰り出し部８により下から一枚ずつ繰り出され、出金判別センサ９にて金種判別される。ここで、出金すべき紙幣と判別されたならば、切換ゲート１１が出金口側に切り換えられ、紙幣は出金口３へ導かれる。また、繰り出された紙幣が出金すべき紙幣と判別されなかった場合には、切換ゲート１１は循環通路側に切り換えられ、循環通路１０を経由して再度、紙幣収納庫６に積載収納される。なお、繰り出された紙幣が釣銭としては使用されない高額紙幣の場合には、切換ゲート１２が紙幣回収庫側に切り換えられ、紙幣回収庫４に収納される。
【００１４】
また、紙幣処理機１の紙幣収納庫６へ釣銭準備金を直接セットする手補充の場合は、筐体１３から内部ユニットを引き出し、上部が開放された紙幣収納庫６へ釣銭準備金としての紙幣を直接挿入する。そして、釣銭準備金のセットが終了すると、内部ユニットを筐体１３に再び収める。
【００１５】
次に、この紙幣処理機１の制御部の構成について説明する。
図３は紙幣処理機の制御部の構成例を示すブロック図である。紙幣処理機１の制御部２０は入金判別センサ５および出金判別センサ９に接続された金種判別部２１と、プロセッサ（ＣＰＵ）２２と、装置内在り高メモリ２３と、精査カウンタ２４と、精査履歴メモリ２５とを備えている。装置内在り高メモリ２３はカウンタを取り扱い金種分用意してあり、１０００円枚数カウンタ２３ａと、５０００円枚数カウンタ２３ｂと、１００００円枚数カウンタ２３ｃとを有している。また、精査カウンタ２４も同様に、精査時に金種別に紙幣の枚数を計数するために、１０００円枚数カウンタ２４ａと、５０００円枚数カウンタ２４ｂと、１００００円枚数カウンタ２４ｃとを有している。
【００１６】
金種判別部２１は流通されている紙幣の３金種はもちろん、模擬紙幣１４を判別する機能をも有している。この金種判別部２１は入金時に入金判別センサ５が検出した紙幣の金種を判別し、その判別結果をプロセッサ２２に送る。プロセッサ２２はその判別結果を受けて装置内在り高メモリ２３の該当する金種のカウンタに送り、＋１の加算をする。金種判別部２１はまた、出金判別センサ９が紙幣収納庫６から繰り出された紙幣を検出したとき、その金種を判別し、プロセッサ２２に送る。プロセッサ２２はその判別結果を装置内在り高メモリ２３に送り、該当する金種のカウンタに対して−１の減算をする。これにより、投入口２および出金口３を通じて入出金された紙幣の枚数は、装置内在り高メモリ２３にて管理されている。ただし、紙幣収納庫６へ直接手で釣銭準備金を補充するような場合には、装置内在り高メモリ２３による枚数計数は行われないので、この時点で装置内在り高メモリ２３上の紙幣枚数と実収納枚数とは一致しなくなる。
【００１７】
精査カウンタ２４および精査履歴メモリ２５は収納紙幣の在り高を精査するときに使用されるもので、精査カウンタ２４は金種別に在り高を計数し、精査カウンタ２４による計数結果は精査履歴メモリ２５に追記される。
【００１８】
なお、図示はしないが、この制御部２０は紙幣検知センサに応答して投入搬送モータを駆動したり、繰り出し部８の起動・停止、切換ゲート１１，１２の切り換え制御なども行うことができる。
【００１９】
次に、紙幣処理機１の入金処理について説明する。
図４は紙幣処理機の入金動作の処理の流れを示すフローチャートである。まず、投入口２に設けられた紙幣検知センサが紙幣の投入を検知したかどうかが判別される（ステップＳ１）。ここで、紙幣の投入を検知しなければ、検知するまで紙幣検知センサは待機することになる。紙幣の投入を検知したならば、制御部２０は投入搬送モータを駆動し、紙幣を入金判別センサ５に導き、入金判別センサ５および制御部２０の金種判別部２１による入金紙幣の金種の判別および真偽の判定の鑑別が行われる（ステップＳ２）。次に、入金鑑別の結果、入金紙幣は模擬紙幣１４かどうかが判別される（ステップＳ３）。ここで、入金された紙幣が流通されている３金種であれば、制御部２０は装置内在り高メモリ２３の該当金種のカウンタに＋１の加算をする（ステップＳ４）。もし、入金された紙幣が模擬紙幣１４と判別されたならば、紙幣処理機１は精査処理の動作を開始する（ステップＳ５）。
【００２０】
図５は紙幣処理機の精査処理の流れを示すフローチャートである。金種判別部２１にて、精査用に特別に作成した模擬紙幣１４が判別されると、制御部２０は、直ちに入金動作を停止する（ステップＳ１１）。続いて制御部２０は、切換ゲート１１，１２を循環通路１０の側に切り換える（ステップＳ１２）。そして、制御部２０は精査カウンタ２４の各金種のカウンタをゼロクリアする（ステップＳ１３）。
【００２１】
次に、制御部２０は、繰り出し部８を起動し、収納紙幣の繰り出しを開始する（ステップＳ１４）。繰り出された紙幣は出金判別センサ９へ到達し、ここで、金種判別部２１による出金紙幣の鑑別が行われる（ステップＳ１５）。次に、鑑別された紙幣の金種に基づき処理が分岐される（ステップＳ１６）。すなわち、金種が１０００円の場合は、精査カウンタ２４の１０００円枚数カウンタ２４ａに対して＋１の加算処理をし（ステップＳ１７）、金種が５０００円の場合は、精査カウンタ２４の５０００円枚数カウンタ２４ｂに対して＋１の加算処理をし（ステップＳ１８）、金種が１００００円の場合は、精査カウンタ２４の１００００円枚数カウンタ２４ｃに対して＋１の加算処理をする（ステップＳ１９）。精査カウンタ２４の加算処理の後はステップＳ１５に戻り、次に繰り出された紙幣の鑑別をする。
【００２２】
ステップＳ１５の判別にて、金種が模擬紙幣１４と判別された場合には、繰り出し部８を停止し、紙幣の繰り出し動作を停止する（ステップＳ２０）。この時点にて、精査カウンタ２４には、各金種の枚数が算出されている。続いて制御部２０は、切換ゲート１１を出金口３の側に切り換え、模擬紙幣１４を紙幣処理機１の外部へ放出する（ステップＳ２１）。そして、制御部２０は、精査カウンタ２４の算出結果を、装置内在高メモリ２３に転記する（ステップＳ２２）。また、同様に、精査カウンタ２４の算出結果を、精査履歴メモリ２５に転記する（ステップＳ２３）。この際、精査履歴メモリ２５への転記は、上書きするのでなく、図示しないポインタを加算し、前回の記憶内容の次の領域に順次記憶して行くようにしている。そして、制御部２０は模擬紙幣１４を出金口３まで搬送した紙幣搬送部を停止する（ステップＳ２４）。これにより、紙幣処理機１の運用中に紙幣収納庫６へ釣銭準備金を補充したことにより、装置内在高メモリ２３の内容が実収納枚数と異なっていたとしても、この精査により、装置内在高メモリ２３はその時点で計数された収納枚数に強制的に修正されるので、より正確な在り高管理を行うことができるようになる。
【００２３】
図６は精査カウンタの計数例を示す図である。この例では、模擬紙幣１４が投入された時点で紙幣収納庫６に収納されている紙幣は、出金判別結果として示した金種の列の順に積載されているとする。したがって、紙幣収納庫６から最初に下から繰り出される一枚目の紙幣は１０００円であり、一番上に模擬紙幣１４が載っている。精査開始するときには、精査カウンタ２４の各カウンタはゼロリセットされているので、１０００円枚数カウンタ２４ａ、５０００円枚数カウンタ２４ｂ、および１００００円枚数カウンタ２４ｃの内容はそれぞれクリアされている。
【００２４】
まず、一枚目の１０００円の紙幣が繰り出されると、精査カウンタ２４の１０００円枚数カウンタ２４ａは「１」を加算する。同様に、繰り出された紙幣が５０００円であれば、精査カウンタ２４の５０００円枚数カウンタ２４ｂが「１」を加算し、１００００円であれば、精査カウンタ２４の１００００円枚数カウンタ２４ｃが「１」を加算する。このようにして、出金判別結果に応じて、対応する金種のカウンタが１ずつ加算を行い、模擬紙幣１４が判別されるまで続けられる。模擬紙幣１４が判別された時点の精査カウンタ２４における各カウンタの値が各金種の収納枚数となり、図示の例では、精査後の在り高は、１０００円が１１枚、５０００円が４枚、１００００円が３枚である。そして、その精査の結果は、装置内在り高メモリ２３および精査履歴メモリ２５に転記される。
【００２５】
【発明の効果】
以上説明したように、本発明では、模擬紙幣を投入してそれを判別することにより精査を開始するように構成した。これにより、精査の開始場所（ポインタ）を機構的手段を構成せずに設定することができるため、コストアップすることもない。
【００２６】
また、精査機能を備えたことにより、釣銭補充操作を行っても、いつでも収納紙幣の在り高を知ることができるため、正確な現金管理をすることができる。
また、現金管理面においても、精査の履歴を釣銭準備金の補充ごとおよび担当者交替ごとに記憶できるので、トラブル発生時の探索を容易にでき、さらには、この精査機能を備えたことにより、担当者の不正への誘惑を抑えることも期待できる。
【図面の簡単な説明】
【図１】紙幣処理機の外観を示す図である。
【図２】紙幣処理機の内部構成を示す側断面図である。
【図３】紙幣処理機の制御部の構成例を示すブロック図である。
【図４】紙幣処理機の入金動作の処理の流れを示すフローチャートである。
【図５】紙幣処理機の精査処理の流れを示すフローチャートである。
【図６】精査カウンタの計数例を示す図である。
【符号の説明】
１  紙幣処理機
２  投入口
３  出金口
４  紙幣回収庫
５  入金判別センサ
６  紙幣収納庫
７  紙幣受入口
８  繰り出し部
９  出金判別センサ
１０  循環通路
１１，１２  切換ゲート
１３  筐体
１４  模擬紙幣
２０  制御部
２１  金種判別部
２２  プロセッサ（ＣＰＵ）
２３  装置内在り高メモリ
２３ａ  １０００円枚数カウンタ
２３ｂ  ５０００円枚数カウンタ
２３ｃ  １００００円枚数カウンタ
２４  精査カウンタ
２４ａ  １０００円枚数カウンタ
２４ｂ  ５０００円枚数カウンタ
２４ｃ  １００００円枚数カウンタ
２５  精査履歴メモリ
【図１】
0003584699.tif 000002
【図２】
0003584699.tif 000003
【図３】
0003584699.tif 000004
【図４】
0003584699.tif 000005
【図５】
0003584699.tif 000006
【図６】
0003584699.tif 000007